(57)【特許請求の範囲】
【請求項１】
内部に出入りするための戸(39)を有する納骨堂本体(3)を備え、
該納骨堂本体(3)の内部(30)には納骨棚装置(5)が設けられており、
該納骨棚装置(5)は、前記出入り方向と交差する方向に移動できる所要台数の移動棚(54)を備えた構成か、または所要台数の固定棚(52,53)と前記出入り方向と交差する方向に移動できる所要台数の移動棚(54)を備えた構成を有しており、
前記固定棚(52,53)及び移動棚(54)は、フレーム(55)に、骨壺(7)を並べて置く複数の棚板(56)が多段に設けられている構造であり、各棚板(56)の上面のうち並べて置かれる骨壺(7)の前には名札部材(57)が固定されており、
前記各棚板(56)の上方には落下防止バー(59)が棚板(56)と平行に架設され、該落下防止バー(59)と前記名札部材(57)はストッパーとなって骨壺(7)の落下を防止するものであり、
所要の移動棚(54)を移動させて他の移動棚、または納骨堂本体(3)の内壁面、または固定棚(52,53)に合わせて隙間をなくした形態にすることにより、二台の移動棚の間、または内壁面と移動棚の間、または移動棚(54)と固定棚(52,53)の間の一箇所に人が入ることができる通路(6)を形成することができる、
合祀納骨堂。
【請求項２】
内部に出入りするための戸(39)を有する納骨堂本体(3)を備え、
該納骨堂本体(3)の内部には納骨棚装置(5)が設けられており、
該納骨棚装置(5)は、移動棚(54)と、該移動棚(54)の移動方向において両端側に設けられた固定棚(52,53)を備えており、
前記固定棚(52,53)及び移動棚(54)は、フレーム(55)に、骨壺(7)を並べて置く複数の棚板(56)が多段に設けられている構造であり、各棚板(56)の上面のうち並べて置かれる骨壺(7)の前には名札部材(57)が固定されており、
前記各棚板(56)の上方には落下防止バー(59)が棚板(56)と平行に架設され、該落下防止バー(59)と前記名札部材(57)はストッパーとなって骨壺(7)の落下を防止するものであり、
前記移動棚(54)の両側には各固定棚(52,53)との間にスペースを形成することができ、移動棚(54)を何れか一方の固定棚側へ移動させて固定棚と移動棚(54)との間のスペースをなくすことにより、他方の固定棚と移動棚(54)との間に、人が入ることができる大きさの通路用スペース(6)を形成することができる、
合祀納骨堂。
【発明の詳細な説明】
【技術分野】
【０００１】
本発明は、合祀納骨堂に関するものである。更に詳しくは、コンパクトな構造を有する合祀納骨堂であって、骨壺の収容効率を従来よりもさらに向上させて、納骨できる数をより多くすることができるものに関する。
【背景技術】
【０００２】
寺の敷地内には、土地を有効に利用するために、広い土地が必要になる墓地を縮小し、代わりに合祀納骨堂が建てられている所も多い。従前の合祀納骨堂は、比較的大きく立派な建物が一般的であった。しかしながら、近年においては建築費や維持管理費の負担の大きさから、このような合祀納骨堂の建築は回避される傾向がある。これは、土地の確保が困難な都会において特に顕著である。また、一方でいわゆる無縁墓が増えていることや、近親者のいない人からの永代的な供養の要望が多くなっている事情もある。このため、合祀納骨堂としては、十分な耐久性を有し、かつ簡易なつくりで建築費が安価であり、多数の納骨を効率よく行うことができるものが望まれている。
【０００３】
このような合祀納骨堂としては、例えば特許文献１に開示されている合祀墓がある。これは、前方に略水平まで回動する開閉棚が前面の外壁に設けられ、開閉棚を収容する開口の内側に載置台が配設され、内部に複数の納骨室が設置されているものであり、開いた状態の開閉棚上に骨壺を載置し、骨壺の前方で経をあげるなどの宗教的儀式を行い、その後骨壺を開口内側の載置台上に押し入れて開閉棚を閉じることにより一連の宗教的儀式を行うことができるようにすると共に、図３に示されているように内部に固定されている複数の棚に多数の骨壺を多段に収容できるものである。
【０００４】
【特許文献１】特開２００１−２２０９２４
【発明の開示】
【発明が解決しようとする課題】
【０００５】
しかしながら、特許文献１記載の合祀墓には次のような課題があった。
すなわち、堂内部に設けられている納骨室は、堂内部の空間の一方向における一端側と他端側及びそれらの中間に固定して設けられている。また、両端の納骨室と、その二倍の骨壺を収容できる中間の納骨室の間には、それぞれ使用者が入って立ち座りができる幅を有する通路が設けられている。
このように、合計四面の対面部を有する納骨室において、通路が二箇所に設けられており、しかもその通路はそれぞれ使用者が立ち座りするのに支障がない幅を確保しなければならないため、その分だけ骨壺の収容効率はよいとはいえず、広さの割には納骨できる数も必ずしも多くない。
【０００６】
（本発明の目的）
本発明は、コンパクトな構造を有する合祀納骨堂であって、骨壺の収容効率を従来よりもさらに向上させて、納骨できる数をより多くすることができる合祀納骨堂を提供することを目的とする。
【課題を解決するための手段】
【０００７】
上記課題を解決するために本発明が講じた手段は次のとおりである。
本発明は、
内部に出入りするための戸を有する納骨堂本体を備え、
該納骨堂本体の内部には納骨棚装置が設けられており、
該納骨棚装置は、前記出入り方向と交差する方向に移動できる所要台数の移動棚を備えた構成か、または所要台数の固定棚と前記出入り方向と交差する方向に移動できる所要台数の移動棚を備えた構成を有しており、
前記固定棚及び移動棚は、フレームに、骨壺を並べて置く複数の棚板が多段に設けられている構造であり、各棚板の上面のうち並べて置かれる骨壺の前には名札部材が固定されており、
前記各棚板の上方には落下防止バーが棚板と平行に架設され、該落下防止バーと前記名札部材はストッパーとなって骨壺の落下を防止するものであり、
所要の移動棚を移動させて他の移動棚、または納骨堂本体の内壁面、または固定棚に合わせて隙間をなくした形態にすることにより、二台の移動棚の間、または内壁面と移動棚の間、または移動棚と固定棚の間の一箇所に人が入ることができる通路を形成することができる、
合祀納骨堂である。
【０００８】
本発明は、
内部に出入りするための戸を有する納骨堂本体を備え、
該納骨堂本体の内部には納骨棚装置が設けられており、
該納骨棚装置は、移動棚と、該移動棚の移動方向において両端側に設けられた固定棚を備えており、
前記固定棚及び移動棚は、フレームに、骨壺を並べて置く複数の棚板が多段に設けられている構造であり、各棚板の上面のうち並べて置かれる骨壺の前には名札部材が固定されており、
前記各棚板の上方には落下防止バーが棚板と平行に架設され、該落下防止バーと前記名札部材はストッパーとなって骨壺の落下を防止するものであり、
前記移動棚の両側には各固定棚との間にスペースを形成することができ、移動棚を何れか一方の固定棚側へ移動させて固定棚と移動棚との間のスペースをなくすことにより、他方の固定棚と移動棚との間に、人が入ることができる大きさの通路用スペースを形成することができる、
合祀納骨堂である。
【０００９】
納骨棚装置は、棚として所要台数の移動棚だけを備えた構成でもよいし、同じく棚として所要台数の固定棚と所要台数の移動棚を備えた構成でもよい。
すなわち、納骨堂本体の内部において、内壁面間で所要数の移動棚が移動できる構造、または移動棚の移動方向の一端または両端に固定棚を配し、両固定棚の間を所要数の移動棚が移動できる構造などである。
また、戸には、例えば引き違い戸の他、折り戸、片開きや観音開き等の開き戸を採用することができる。
【００１０】
（作用）
本発明に係る合祀納骨堂の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１１】
コンパクトな構造を有する合祀納骨堂において、合祀納骨堂(A)の内部を清掃したり、内部に新たに骨壺(7)を収める場合には、使用者が内部に入って作業を行う。その際は、まず納骨堂本体(3)の戸(39)を開けて、開けた側に通路(6)が形成されていれば、そのまま通路(6)に入る。通路(6)は、例えば移動棚(54)の両側において各固定棚(52,53)との間のスペースの一方をなくすことにより、その反対側に形成されている。通路(6)が形成されていなければ、移動棚(54)を移動させて通路(6)を形成するか、あるいは戸(39)が複数の扉を有するものであれば、他の扉を開ける等して通路(6)に入る。
【００１２】
使用者がその通路(6)を挟む棚(52,54)での用事を済ませて他の棚(53,54)での用事を行う場合は、一旦その通路(6)から外へ出て、前記と同様にして他の棚(53,54)で挟まれた通路(6)をつくり、その通路(6)に入るようにする。
このように、移動棚(54)を適宜移動させることにより、例えば人一人立ち座りができる幅の通路(6)を、使用する一箇所だけにつくることができるので、スペースに無駄がなく合祀納骨堂(A)の内部空間(30)を有効に使用できる。
【００１３】
すなわち、通路が複数（例えば二箇所）設けられている従来の固定された納骨室とは相違して、内部空間の大きさが同じ場合では、余分な通路が占める空間に移動棚を設けることができるので、棚を増やすことができる分だけ骨壺(7)の収容効率を従来より向上させることができ、納骨できる数をより多くすることができる。また、納骨できる数を同じにした場合では、余分な通路が占める空間の分だけ合祀納骨堂(A)の内部空間(30)を小さくして、よりコンパクトにつくることができる。
【発明の効果】
【００１４】
本発明に係る合祀納骨堂は、移動棚を適宜移動させることにより、例えば人一人立ち座りができる幅の通路を、使用する一箇所だけにつくることができるので、スペースに無駄がなく合祀納骨堂の内部空間を有効に使用できる。
つまり、通路が複数設けられている従来の固定された納骨室とは相違して、内部空間の大きさが同じ場合では、余分な通路が占める空間に移動棚を設けることができるので、棚を増やすことができる分だけ骨壺の収容効率を従来より向上させることができ、納骨できる数をより多くすることができる。また、納骨できる数を同じにした場合では、余分な通路が占める空間の分だけ合祀納骨堂の内部空間を小さくして、よりコンパクトにつくることができる。
また、落下防止バーと名札部材はストッパーとなって骨壺の落下を防止することができる。
【発明を実施するための最良の形態】
【００１５】
本発明を図に示した実施例に基づき詳細に説明する。
図１は本発明に係る合祀納骨堂の一実施の形態を示す正面図、
図２は合祀納骨堂の左側面図、
図３は合祀納骨堂の背面図、
図４は図１におけるＡ−Ａ断面図、
図５は図２におけるＢ−Ｂ断面図、
図６は図３におけるＣ−Ｃ断面図、
図７は図３におけるＤ−Ｄ断面図、
図８は固定納骨棚の構造を示す要部斜視図である。
【００１６】
合祀納骨堂Ｔは、寺の敷地内に建てられている。合祀納骨堂Ｔは、全高が５ｍほどであり、全体が簡易な構造でコンパクトにつくられている。なお、合祀納骨堂Ｔは、後述する納骨堂本体３や屋根４等の構成部品をあらかじめ工場で製造し、現場で組み立てるいわゆるプレファブ工法（プレハブ工法ということもある）を採用して建てることができる。
【００１７】
合祀納骨堂Ｔは、土中に施工されているコンクリート製の基礎１を有し、基礎１の上部には土中から大部分が出るようにして収容庫２が設けられている。
収容庫２は、外形がほぼ直方体状になるようにコンクリートで形成されており、内部は収容空間２０となっている。収容庫２の背面側の側壁２１には、左右へ移動する二枚の戸からなり収容空間２０に通じる出入口を開閉することができる引き違い戸２２が設けられている（図３、図４参照）。また、側壁２１には通気のための換気扇２７とガラリ２８が設けられている（図３参照）。
【００１８】
収容庫２の表面には御影石等の石材で形成された化粧板２３が張設されている。収容庫２の正面側の化粧板２３上面には、供物台２４が設けられている。収容庫２の化粧板２３上面には、供物台２４を除く部分に石材で形成された手摺り２５が取り付けられている。また、収容庫２の正面側には、地面ＧＬ１から供物台２４へ続く階段２６が形成されている。階段２６の上面にも化粧板２３が張設されている。なお、正面側の地面ＧＬ１と背面側の地面ＧＬ２は高さが違えてあり、収容庫２の背面側全体が露出するように地面ＧＬ２側が低くなるよう施工されている（図４参照）。
【００１９】
収容庫２の上面の中央には、横断面形状が四角形で内部に収容空間３０を有する納骨堂本体３が形成されている。納骨堂本体３の上部には、金属板等で中空に形成された屋根４が取り付けられている。
納骨堂本体３の各側壁部３１、３２、３３、３４は金属板で形成され、それらの内面側には、発泡樹脂製で板状の断熱材３５が張設されている。納骨堂本体３の正面側の側壁部３１の中央には縦長の長方形状の通気口３６が設けられている。通気口３６には、通気口３６と同じ大きさのパンチングメタル３７が嵌め入れられ取り付けられている。
【００２０】
側壁部３１においてパンチングメタル３７を正面から覆う部分には、側壁部３１との間に通気のための隙間（符号省略）を設けて長方形状の銘板３８が取付部材（図示省略）により取り付けられている。銘板３８には、「南無阿弥陀仏」の題目が表示されている。この構造によれば、収容空間３０は前記パンチングメタル３７の多数の孔（図示省略）と、側壁部３１と銘板３８との間の隙間によって常時通気ができる。
【００２１】
納骨堂本体３の背面側の側壁部３３には、左右へ移動する二枚の戸からなり収容空間３０に通じる出入口を開閉することができる引き違い戸３９が設けられている。また、納骨堂本体３の収容空間３０の上端部には、前記屋根４の内部空間との通気をするためのパンチングメタル４０が水平に取り付けられている。パンチングメタル４０には開口部（図示省略）が設けられており、パンチングメタル４０上面に納経をすることもできる。
【００２２】
納骨堂本体３の収容空間３０内部には、納骨棚装置５が設置されている。納骨棚装置５は、レール５０、５０、ガイドロッド５１、５１、固定納骨棚５２、５３及び移動納骨棚５４を備えている。
レール５０、５０は納骨堂本体３の床面３００上面の前後側に平行に敷設されている。また、ガイドロッド５１、５１は収容空間３０の上部の前後側にレール５０、５０と平行に架設されている。
【００２３】
収容空間３０の左右両端（レール５０、５０方向の両端）には、収容空間３０の全高とほぼ同じ高さの固定納骨棚５２、５３が対向して固定されている。固定納骨棚５２、５３の間には、レール５０、５０とガイドロッド５１、５１で案内されて左右に移動できる移動納骨棚５４が設けられている。なお、固定納骨棚５２、５３を移動納骨棚５４と同様に移動できるようにして設けることもできる。
【００２４】
両固定納骨棚５２、５３の棚の奥行き（図５で左右方向の幅）は、骨壺一個がやや余裕をもって収まる幅に設定されている（図５、図６、図８参照）。また、前記移動納骨棚５４の棚の奥行きは、骨壺二個を並べてやや余裕をもって収まる幅に設定されている（図５、図６参照）。
【００２５】
固定納骨棚５２、５３及び移動納骨棚５４は、枠組みされたフレーム５５の内部に複数の棚板５６が一定の間隔で多段に設けられている構造である。各棚板５６の対面側（固定納骨棚５２、５３では内側、移動納骨棚５４では左右両側）の上面縁部に名札部材５７が固定されている。名札部材５７は角パイプを一定の長さで切断した構造である。名札部材５７の対面側（図８で手前側）には名札５８が貼付されている。
【００２６】
また、各棚板５６の上方には落下防止バー５９が棚板５６と平行に架設されている。落下防止バー５９は、固定納骨棚５２、５３、移動納骨棚５４のいずれにおいても棚板５６の幅方向両側に設けられている。落下防止バー５９と名札部材５７は対面側におけるストッパーとなっており、骨壺７の落下を防止することができる。
【００２７】
なお、前記収容空間３０と固定納骨棚５２、５３及び移動納骨棚５４のサイズは、移動納骨棚５４を固定納骨棚５２、５３のうちいずれか（図５、図６においては固定納骨棚５３）に合わせて隙間がないようにした形態で、移動納骨棚５４と他の固定納骨棚（図５、図６においては固定納骨棚５２）の間に、人が入ることができる大きさの通路用スペースである通路６が一箇所に形成されている。通路６の幅は、人一人が立ち座りの動作を支障なく行うことができる幅に設定するのが好ましいが、限定はされない。
【００２８】
（作用）
図１ないし図８を参照して合祀納骨堂Ｔの作用を説明する。
例えば合祀納骨堂Ｔにおいて、内部の納骨棚装置５や骨壺７あるいは内壁等を清掃したり、固定納骨棚５２、５３や移動納骨棚５４に新たに骨壺を収める場合等には、使用者が内部に入って作業を行う。
その際は、まず納骨堂本体３の背面側の引き違い戸３９の扉を開けて、開けた側に通路６が形成されていれば、そのまま通路６に入る（図６で左側の扉を開いた場合）。
扉を開けても通路６が形成されていなければ、移動棚を移動させて通路を形成するか、あるいは反対側の扉を開ける等して通路に入る。
【００２９】
そして、使用者がその通路６を挟む固定納骨棚５２及び移動納骨棚５４での用事を済ませて他の棚（固定納骨棚５３及び移動納骨棚５４）での用事を行う場合は、一端その通路６から外へ出て移動納骨棚５４を移動させて固定納骨棚５３及び移動納骨棚５４で挟まれた通路を新たにつくり、その通路に入るようにする。このように、移動納骨棚５４を適宜移動させることにより、例えば人一人立ち座りができる幅の通路６を使用する一箇所だけにつくることができるので、スペースに無駄がなく合祀納骨堂Ｔの収容空間３０を有効に使用できる。
【００３０】
すなわち、合祀納骨堂Ｔは、収容空間３０が同じ大きさである場合、通路が複数設けられている従来の固定された納骨室とは相違して、余分な通路が占める空間に移動納骨棚を設けることができるので、移動納骨棚を増やすことができる分だけ骨壺７の収容効率を従来より向上させることができ、納骨できる数をより多くすることができる。また、納骨できる数を同じにした場合（または棚の数を同じにした場合）では、余分な通路が占める空間の分だけ合祀納骨堂Ｔの収容空間３０を小さくして、合祀納骨堂Ｔをよりコンパクトにつくることができる。
なお、本実施の形態では、骨壺７をそのままの形態で収めている状態を図示しているが、これに限定されるものではなく、骨壺を布で包んだ形態や木箱に収容した形態で収めることもできる。
【００３１】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００３２】
【図１】本発明に係る合祀納骨堂の一実施の形態を示す正面図。
【図２】合祀納骨堂の左側面図。
【図３】合祀納骨堂の背面図。
【図４】図１におけるＡ−Ａ断面図。
【図５】図２におけるＢ−Ｂ断面図。
【図６】図３におけるＣ−Ｃ断面図。
【図７】図３におけるＤ−Ｄ断面図。
【図８】固定納骨棚の構造を示す要部斜視図。
【符号の説明】
【００３３】
Ｔ  合祀納骨堂
１  基礎
２  収容庫
２０  収容空間
２１  側壁
２２  引き違い戸
２３  化粧板
２４  供物台
２５  手摺り
２６  階段
２７  換気扇
２８  ガラリ
３  納骨堂本体
３０  収容空間
３１  側壁部
３２  側壁部
３３  側壁部
３４  側壁部
３５  断熱材
３６  通気口
３７  パンチングメタル
３８  銘板
３９  引き違い戸
３００  床面
４  屋根
４０  パンチングメタル
５  納骨棚装置
５０  レール
５１  ガイドロッド
５２  固定納骨棚
５３  固定納骨棚
５４  移動納骨棚
５５  フレーム
５６  棚板
５７  名札部材
５８  名札
５９  落下防止バー
６  通路
７  骨壺  
ＧＬ１  地面
ＧＬ２  地面
【図１】
0004842994.tif 000002
【図２】
0004842994.tif 000003
【図３】
0004842994.tif 000004
【図４】
0004842994.tif 000005
【図５】
0004842994.tif 000006
【図６】
0004842994.tif 000007
【図７】
0004842994.tif 000008
【図８】
0004842994.tif 000009